(57)【要約】【課題】部品点数を少なく済ませることができるとともに、組み付け作業性を大幅に向上させることができるシリンダ錠を提供する。【解決手段】外筐８に、鍵挿入孔６が軸方向に形成されたロータ７を回転可能に収容してなるシリンダ錠は、ロータ７の鍵挿入孔６に合鍵１が挿入されてタンブラピン１２ａ，１２ｂとドライバピン１５，１５との境界が外筐８とロータ７との境界に一致したときにロータ７の回転が可能に構成されている。この外筐８には、複数のドライバピン１５と、これらドライバピン１５の夫々をロータ７方向に押圧する複数個のばね片部３０を有する板ばね部材１６とがホルダ１４に一体的に組み込まれたユニット１７が取付けられるようになっている。【選択図】  図５
2007239265.tif 000002
【特許請求の範囲】
【請求項１】
軸方向に延びるロータ収納孔を有する外筐と、
この外筐のロータ収納孔に軸線の回りに回転可能に収納され、軸方向に延びて鍵が挿入される鍵挿入孔を有するとともに、この鍵挿入孔と連通し軸方向に列をなす複数個のピン孔を有するロータと、
このロータのピン孔に夫々収納された複数個のタンブラピンと、
前記外筐に取付けられ、前記ロータのタンブラピンに夫々対応しその対応するタンブラピンの侵入が可能な複数個のピン孔を有するホルダと、
このホルダのピン孔に夫々収納され、前記ロータの対応するピン孔に侵入可能な複数個のドライバピンと、
前記ホルダに取付けられ、そのホルダの複数個のドライバピンの夫々をロータ方向に押圧する複数個のばね片部を有する板ばね部材とを備え、
前記ロータの鍵挿入孔に合鍵が挿入されて、前記タンブラピンとドライバピンとの境界が外筐とロータとの境界に一致したときにそのロータの回転が可能となる構成であって、
前記複数個のドライバピン及び板ばね部材は前記ホルダに一体的に組み込まれてユニットに構成されていることを特徴とするシリンダ錠。
【請求項２】
前記ロータには、前記複数個のピン孔と１８０度の角度を存してもう１列の複数個のピン孔が設けられていて夫々にタンブラピンが収納され、
前記外筐には、この新たなピン孔及びタンブラピンに対応して前記ユニットと同様の別のユニットが取付けられ、
前記ロータの鍵挿入孔に板状の合鍵が挿入されて、その合鍵の幅方向の両側部に形成された２列の谷部若しくは厚さ方向の両面部に形成された２列の凹部が前記タンブラピンに係合して前記タンブラピンとドライバピンとの境界が外筐とロータとの境界に一致したときに、ロータの回転が可能に構成されていることを特徴とする請求項１に記載のシリンダ錠。
【請求項３】
前記ロータには、前記複数個のピン孔と９０度の角度を存してもう１列の複数個のピン孔が設けられていて夫々にタンブラピンが収納され、
前記外筐には、この新たなピン孔及びタンブラピンに対応して前記ユニットと同様の別のユニットが取付けられ、
前記ロータの鍵挿入孔に板状の合鍵が挿入されて、その合鍵の幅方向に形成された１列の谷部が一方の列のタンブラピンに係合し、且つ、前記合鍵の厚さ方向に形成された１列の凹部が他方の列のタンブラピンに係合して前記タンブラピンとドライバピンとの境界が外筐とロータとの境界に一致したときに、ロータの回転が可能に構成されていることを特徴とする請求項１に記載のシリンダ錠。
【請求項４】
前記ロータには、前記複数個のピン孔の他に夫々９０度の角度を存して１列が複数個の３列のピン孔が設けられていて夫々にタンブラピンが収納され、
前記外筐には、前記各新たな列のピン孔及びタンブラピンに対応して前記ユニットと同様のユニットが取付けられ、
前記ロータの鍵挿入孔に板状の合鍵が挿入されて、その合鍵の幅方向の両側部に形成された２列の谷部が１８０度異なる位置の２列のタンブラピンに夫々係合し、且つ、前記合鍵の厚さ方向両面部に形成された２列の凹部が１８０度異なる位置の残りの２列のタンブラピンに夫々係合して前記タンブラピンとドライバピンとの境界が外筐とロータとの境界に一致したときに、ロータの回転が可能に構成されていることを特徴とする請求項１に記載のシリンダ錠。
【請求項５】
前記ユニットは、外筐に係合手段により取付けられていることを特徴とする請求項１ないし４の何れかに記載のシリンダ錠。
【発明の詳細な説明】
【技術分野】
【０００１】
本発明は、外筐に、鍵挿入孔が軸方向に形成されたロータを回転可能に収納してなるシリンダ錠に関する。
【背景技術】
【０００２】
従来より、家屋の扉などに取付けられる一般的なシリンダ錠は、板状の鍵が挿入される鍵挿入孔を有するロータと、このロータを回転可能に収容する外筐とを備えており、前記ロータには、軸方向に列をなす複数個のピン孔が鍵挿入孔に連通するようにして形成され、外筐には、前記ロータのピン孔と対応して複数個のピン孔が形成されている。ロータのピン孔には、タンブラピンが収納され、外筐のピン孔には、ドライバピンが収納されており、前記外筐のピン孔には、ドライバピンの夫々をロータ方向に押圧する複数個のコイルばねが配設されている。
【０００３】
そして、前記ロータの鍵挿入孔に合鍵が挿入されると、合鍵の幅方向の側部に形成された複数の谷部が前記タンブラピンと係合することによりタンブラピンが移動してそのタンブラピンとドライバピンとの境界が前記外筐とロータとの境界に一致したときに、ロータの回転が許容されるようになっている（例えば、特許文献１参照）。
【特許文献１】特許第３６２０４６０号公報
【発明の開示】
【発明が解決しようとする課題】
【０００４】
上記構成のシリンダ錠によれば、鍵の谷部の数を多くすればそれだけ種類の異なる合鍵を構成することができるが、それだけ部品点数の増加やコストの増大は不可避となる。つまり、鍵に多数の谷部を形成すると、それら谷部の数に対応する多くのタンブラピンやドライバピンが必要となるだけでなく、個々のドライバピンを押圧するためのコイルばねの数もその分多くなってコスト高となるのである。しかも、外筐に多数の部品を組み付けなければならず、組み付け作業に多くの作業時間を要する。
【０００５】
本発明は、上記事情に鑑みてなされたものであり、その目的は、部品点数を少なく済ませることができるとともに、組み付け作業性を大幅に向上させることができるシリンダ錠を提供することにある。
【課題を解決するための手段】
【０００６】
本発明は、軸方向に延びるロータ収納孔を有する外筐と、この外筐のロータ収納孔に軸線の回りに回転可能に収納され、軸方向に延びて鍵が挿入される鍵挿入孔を有するとともに、この鍵挿入孔と連通し軸方向に列をなす複数個のピン孔を有するロータと、このロータのピン孔に夫々収納された複数個のタンブラピンと、前記外筐に取付けられ、前記ロータのタンブラピンに夫々対応しその対応するタンブラピンの侵入が可能な複数個のピン孔を有するホルダと、このホルダのピン孔に夫々収納され、前記ロータの対応するピン孔に侵入可能な複数個のドライバピンと、前記ホルダに取付けられ、そのホルダの複数個のドライバピンの夫々をロータ方向に押圧する複数個のばね片部を有する板ばね部材とを備え、前記ロータの鍵挿入孔に合鍵が挿入されて、前記タンブラピンとドライバピンとの境界が外筐とロータとの境界に一致したときにそのロータの回転が可能となる構成であって、前記複数個のドライバピン及び板ばね部材は前記ホルダに一体的に組み込まれてユニットに構成されていることを特徴とする。
【発明の効果】
【０００７】
本発明によれば、複数個のドライバピン及び板ばね部材は、前記ホルダに一体的に組み込まれてユニットに構成されているので、このユニットのみを別工程で組立てることが可能となり、組み付け作業性を向上させることができる。また、前記板ばね部材は、これに形成された複数個のばね片部により複数のドライバピンを付勢することができるので、部品点数を少なく済ませることができる。
【発明を実施するための最良の形態】
【０００８】
以下、本発明の一実施形態について図面を参照しながら説明する。図１には合鍵を挿入した状態のシリンダ錠の前方からの斜視図を示し、図２には、このシリンダ錠の構成部品を分解した状態の斜視図を一部省略して示している。また、図３は図１に示すシリンダ錠の横断平面図を、図４はその縦断側面図を、図５はその縦断正面図を示している。また、本実施形態では、シリンダ錠は家屋の扉に適用されるものとする。
【０００９】
本実施形態のシリンダ錠の合鍵１は、薄板状をなす挿入部２ａとその端部の頭部２ｂとからなり、その挿入部２ａの幅方向の両側部２ｃ，２ｃに形成された１列複数個の２列の谷部３を有する。２列の谷部３は、合鍵１の長手方向中心線を対称軸として前記両側部２ｃ，２ｃの対象位置（図３参照）に例えば４個ずつ設けられている。
【００１０】
前記挿入部２ａの厚さ方向の両面部２ｄ，２ｄには、長手方向に沿って１列が複数個、例えば４個の凹部４（図４参照）が夫々形成されているとともに、挿入部２ａの両面部２ｄ，２ｄにその長手方向に延びるようにしてガイド溝５，５が夫々形成されていている。これら２列の凹部４及びガイド溝５，５は、前記両面部２ｄ，２ｄにおいて面対称位置に設けられている。即ち、合鍵１は所謂リバーシブルに構成されたものである。
【００１１】
本実施形態のシリンダ錠は、上記合鍵１が挿入される鍵挿入孔６が軸方向に形成されたロータ７と、このロータ７を収容するロータ収納孔８ａが形成された外筐８とを備えている。
前記ロータ７は、略円柱状をなすロータ本体９と、このロータ本体９の前端部（図２中、右端部）に形成されたフランジ部１０とを一体に有して構成されている。フランジ部１０の後面側には、略半周に亘って溝部１０ａが形成されている。前記鍵挿入孔６は、ロータ７の中央部において、正面視にて横長な略矩形状に形成されている。この鍵挿入孔６には、合鍵１のガイド溝５，５と係合する一対のガイド突部６ａ，６ａ（図５参照）が一体的に設けられている。
【００１２】
図３の横断平面図に示すように、ロータ本体９には、夫々径方向に貫通するピン孔１１ａ，１１ａが左右（図中、上下）両側に対向して形成されている。このピン孔１１ａ，１１ａは、複数個例えば４個ずつロータ本体９の軸方向に列をなすように設けられており、前記鍵挿入孔６と連通している。
【００１３】
前記ピン孔１１ａ，１１ａには、夫々タンブラピン１２ａ，１２ａがロータ本体９の径方向に移動可能に収納されている。これらタンブラピン１２ａ，１２ａは、鍵挿入孔６に挿入された合鍵１の谷部３，３と夫々当接するようになっている。この場合、タンブラピン１２ａ，１２ａの長さ寸法は、その先端部が前記谷部３，３と当接し、後端部がロータ本体９の外周に沿うように設定されている。
【００１４】
また、図４の縦断側面図に示すように、ロータ本体９には、夫々径方向に貫通するピン孔１１ｂ，１１ｂが上下両側に対向して形成されている。即ち、ロータ本体９には、１列が複数個、例えば４個のピン孔１１ｂ，１１ｂが夫々前記ピン孔１１ａ，１１ａに対して９０度の角度を存して設けられている。
【００１５】
上下両側に対向して形成されたピン孔１１ｂ，１１ｂには、夫々タンブラピン１２ｂ，１２ｂが収納されていて、これらタンブラピン１２ｂ，１２ｂは、鍵挿入孔６に挿入された合鍵１の凹部４，４と夫々当接するようになっている。このピン孔１１ｂ，１１ｂに収納されるタンブラピン１２ｂ，１２ｂの長さ寸法は、その先端部が前記凹部４，４と当接し、後端部がロータ本体９の外周に沿うように設定されている。
【００１６】
上記ロータ７は、ロータ本体９が外筐８のロータ収納孔８ａに収容されることにより外筐８に回転可能に設けられている。ロータ収納孔８ａは、外筐８の中央部に軸方向に延びるように形成されていて、その内周面がロータ本体９の外周面と摺接するようになっている。この外筐８の前端面には（図１、図２参照）、ロータ収納孔８ａの外周部に位置して凸部１３が一体的に設けられている。この凸部１３とフランジ部１０に略半周に亘って形成された溝部１０ａとが係合することにより、ロータ７の回転範囲が１８０度に規制されている。
【００１７】
なお、ロータ本体９の後端部には、図示はしないがロック部が装着されるようになっており、ロータ本体９の回転に伴いそのロック部を介して扉の施錠及び解錠動作が行われるようになっている。
また、外筐８には、４個のホルダ１４がロータ７の周囲を囲うように設けられている。このホルダ１４には前記タンブラピン１２ａ或いは１２ｂと対応するドライバピン１５、及び板ばね部材１６が一体的に組み込まれて、これらがユニット１７として構成され、このユニット１７が外筐８に取付けられるようになっている。以下、その取付構造について詳述する。
【００１８】
先ず、外筐８の夫々の側部には、その側面と前端面とが開放された収容部１８が形成されている。収容部１８の内壁１８ａには、ロータ収納孔８ａと近接する部分に位置して軸方向に延びる連通溝１９が形成されている。
収容部１８の両側壁１８ｂ，１８ｂには、係合溝２０が夫々設けられているとともに、この両側壁１８ｂ，１８ｂの前端部には、係止部２１が夫々一体的に形成されている。また、収容部１８の奥壁１８ｃには、その中央部に位置して前方に突出する係合部２２が一体的に設けられていて、その外側部に外方に向かい傾斜する傾斜面２２ａが形成されている。
【００１９】
ホルダ１４は、合成樹脂材料からなり、板状部２３により接続されたホルダ本体２４と、側部２５、２５とを一体的に有して構成されている。図５に示すように、正面視にて略「Ｌ」の字状をなす側部２５の端面には、正面視にて略三角形状の係合部２６が一体的に設けられていて、収容部１８の係合溝２０と係合するようになっている。また、板状部２３の略中央部には（図２参照）、収容部１８の係合部２２と係合する矩形状の係合穴２３ａが形成されている。これら係合溝２０、係合部２２，２６及び係合穴２３ａは、本発明の係合手段を構成する。
【００２０】
前記ホルダ本体２４には、前記連通溝１９に臨むように４個のピン孔２７が並べて設けられている。これらピン孔２７は、前記タンブラピン１２ａ或いは１２ｂに夫々対応し、その対応するタンブラピン１２ａ或いは１２ｂの侵入が可能とされている。ホルダ本体２４のピン孔２７には、夫々ドライバピン１５がロータ本体９の径方向に移動可能に収納されている。
【００２１】
図６は、ピン孔２７に収納されたドライバピン１５及びその近傍部分を拡大して示している。この図に示されるように、ドライバピン１５の基端部には円錐部１５ａが一体に形成されているとともに、径大部１５ｂが全周にわたって一体に形成されている。一方、ピン孔２７の内周は、ドライバピン１５の径大部１５ｂ外周と摺接する内径寸法に設定されている。また、ピン孔２７のロータ７側の端部には、鍔状の突出部２７ａが全周にわたって一体に形成されており、その突出部２７ａの内周は、ドライバピン１５（円錐部１５ａ及び径大部１５ｂを除く）の外周と摺接する内径寸法に設定されている。これにより、ピン孔２７内のドライバピン１５の移動は、突出部２７ａとドライバピン１５の径大部１５ｂとが当接する位置で規制されるようになっている。
【００２２】
図２、図７に示すように、ホルダ１４の側部２５，２５には、前端部に位置して段部２８が夫々設けられている。この段部２８は前記収容部１８の係止部２１と当接して、ホルダ１４の前方向への移動不能に係止するように構成されている。
【００２３】
また、側部２５，２５とホルダ本体２４との間には（図５参照）、ばね溝２９が夫々形成されている。これらばね溝２９，２９に対し、板ばね部材１６が前方より差し込まれることで板ばね部材１６がホルダ１４に取付けられている。板ばね部材１６は、正面視にて略「コ」の字状に形成されているとともに４個のばね片部３０を有している。これらばね片部３０は、その先端部において前記ドライバピン１５の円錐部１５ａの夫々をロータ７方向に押圧している。これにより、ドライバピン１５の内端部は、連通溝１９を介してロータ７の対応するピン孔１１ａ或いは１１ｂに侵入が可能とされている。
【００２４】
図２に示すように、板ばね部材１６の両端部を構成する折曲部３１，３１には、前端部に位置して段部３２が夫々設けられている。ホルダ１４に組み込まれた板ばね部材１６の段部３２は、当該ホルダの段部２８と面一になるように形成されており（図７参照）、前記収容部１８の係止部２１と当接して、板ばね部材１６の前方向への移動不能に係止するように構成されている。
【００２５】
続いて、上記したシリンダ錠の組み立て手順について、図２、図７を参照しながら説明する。
図２に示すように、先ず４個のドライバピン１５が、夫々ホルダ１４のピン孔２７に収納される。次いで、ホルダ１４のばね溝２９，２９に対し、板ばね部材１６の折曲部３１，３１が前方より差し込まれる。この差し込みの際、ばね片部３０の先端部とドライバピン１５の基端部とが接触するが、その基端部は円錐部１５ａとされているため、ドライバピン１５にばね片部３０が引っ掛かることはなく、容易に板ばね部材１６が差し込まれるようになっている。また、ピン孔２７に収納されたドライバピン１５は、ばね片部３０に押圧されても、ドライバピン１５の径大部１５ｂと突出部２７ａとが係合するためホルダ１４から抜け出ないことは勿論である。このようにして、４個のドライバピン１５及び板ばね部材１６並びにホルダ１４がユニット１７として予め組み立てられる。
【００２６】
そして、図７に示すように、ユニット１７が外筐８の収容部１８に対して側方から組み付けられる。この組み付けは、ユニット１７を矢印Ａ方向に押圧することにより行われる。詳細には、ホルダ１４を、その板状部２３が係合部２２の傾斜面２２ａと当接しながら滑り込むようにして押圧し、板状部２３の係合穴２３ａと係合部２２とを係合させるとともに、側部２５の係合部２６を、収容部１８側壁１８ｂの係合溝２０に滑り込ませるようにして係合させることより、ユニット１７が外筐８の収容部１８に固定される。
【００２７】
このようにして、４組のユニットがロータ収納孔８ａを囲うように組み付けられた後、タンブラピン１２ａ，１２ｂが収納されたロータ本体９がロータ収納孔８ａに対して正面側から挿入される。このときロータ７は、そのフランジ部１０の溝部１０ａと外筐８に形成された凸部１３とが係合するように位置決めされた状態で、外筐８に設けられる。なお、このロータ７の外筐８への組み付けは、ユニット１７の外筐８への組み付け前に行うようにしてもよい。
【００２８】
次に、以上のように構成されたシリンダ錠の作用について説明する。
先ず、鍵挿入孔６に合鍵１の挿入部２ａが挿入される。この挿入は、合鍵１がリバーシブル型のものであるため、これを１８０度反転させても可能である。
この挿入により、挿入部２ａに形成された２列の谷部３，３が（図３参照）その左右両側において対向するタンブラピン１２ａ，１２ａに夫々係合し、且つ２列の凹部４，４が（図４参照）その上下両側において対向するタンブラピン１２ｂ，１２ｂに夫々係合する。これに伴い、タンブラピン１２ａ，１２ｂとドライバピン１５，１５との間の境界が、外筐８とロータ本体９との接触面である境界に一致する状態となる。
【００２９】
この状態においては、ロータ７の回転が可能となっており、合鍵１の回動操作により、その合鍵１とともにロータ７が一体に回動する。この回動操作に伴い、ロータ本体９の後端部に設けられる図示しないロック部を介して扉の施錠及び解錠動作が行われる。なお、合鍵１の回動操作は、ロータ７の回転範囲たる１８０度に規制される。
【００３０】
以上説明したように、本実施形態のシリンダ錠は、合鍵１に幅方向に１列が４個の２列の谷部３を形成し、且つ厚さ方向に１列が４個の２列の凹部４を形成して、多くの谷部３及び凹部４に夫々タンブラピン１２ａ及び１２ｂを対応させる構成としたので、鍵違いの数を多くすることができる。
この場合、前記タンブラピン１２ａ，１２ｂは、ロータ本体９のピン孔１１ａ，１１ｂに夫々９０度の角度を存して４列に配設されている。このため、前記配列のタンブラピン１２ａ，１２ｂ全てを、ピッキング用具などによって移動させることは極めて困難であるので、ピッキングによる解錠を極力抑制することができる。
【００３１】
このタンブラピン１２ａ，１２ｂと対応する４個のドライバピン１５は、１個の板ばね部材１６により押圧するように構成した。従って、本実施形態とは異なり、複数のドライバピンをこれと同数のコイルばねにより押圧するようにした従来のシリンダ錠に比べ、部品点数を少なく済ませることができる。
【００３２】
前記板ばね部材１６及び４個のドライバピン１５は、ホルダ１４に一体的に組み込まれてユニット１７に構成されているため、ユニット１７のみを別工程で組立てることが可能となり、組み付け作業性を向上させることができる。また、ホルダ１４のピン孔２７に突出部２７ａを形成し、且つドライバピン１５に径大部１５ｂを形成したので、ピン孔２７におけるドライバピン１５の移動を規制することができる。よって、一旦組み付けたドライバピン１５がホルダ１４から抜け出ないように配慮しながら組み立てる必要がないので、作業性をより向上させることができる。
【００３３】
このユニット１７の外筐８への組み付けは、ユニット１７を外筐８の収容部１８に対して側方から押圧し、ホルダ１４の係合穴２３ａと収容部１８の係合部２２とを係合させるとともに、ホルダ１４の係合部２６と収容部１８の係合溝２０とを係合させることより行うことができる。従って、ユニット１７の外筐８に対する別個の固定手段が不要となるので、部品点数を減らし、工数を削減することができる。また、前記係合部２２に傾斜面２２ａを形成するとともに、係合部２６の形状を三角形状に形成したためユニット１７の外筐８に対する圧入を容易に行うことができる。
【００３４】
なお、本発明は上記した実施形態にのみ限定されるものではなく、次のように変形または拡張することができる。
本発明のシリンダ錠は、家屋の扉に限られず、物置、金庫、車などにも適用できるものである。
【００３５】
合鍵１は、リバーシブル型のものに限定するものではない。つまり、合鍵１は、谷部３，３が両側部２ｃ、２ｃにおいて夫々対称位置に設けられたものでなくてもよく、凹部４，４及びガイド溝５，５が両面部２ｄ，２ｄにおいて夫々対称位置に設けられたものでなくてもよい。このように、谷部３，３、凹部４，４及びガイド溝５，５を夫々非対称に形成することで、さらに多くの鍵違いを構成するようにしてもよい。また、ガイド溝５は、両面部２ｄ，２ｄのうち一面部２ｄにのみ形成するようにしてもよい。
【００３６】
上記実施形態のシリンダ錠には、１列が４個の４列のタンブラピン１２ａ，１２ａ及び１２ｂ，１２ｂを設けたが、これら１列あたりの個数は４個に限定されるものではない。また、これらの列は、合鍵１の幅方向の両側部２ｃ，２ｃに１列ずつ或いは厚さ方向の両面部２ｄ，２ｄに１列ずつ設けるようにしてもよい。即ち、ロータ本体９に、互いに１８０度の角度を存して１列が複数個の２列のピン孔１１ａ，１１ａ或いは１１ｂ，１１ｂを設けて夫々にタンブラピン１２ａ，１２ａ或いは１２ｂ，１２ｂを収納し、外筐８にこれらタンブラピン１２ａ，１２ａ或いは１２ｂ，１２ｂに対応して２組のユニット１７、１７を取付ける。そして、合鍵１がロータ７の鍵挿入孔６に挿入されて、その合鍵１の幅方向の両側部２ｃ，２ｃに形成された２列の谷部３，３、或いは厚さ方向の両面部２ｄ，２ｄに形成された２列の凹部４，４がタンブラピン１２ａ，１２ａ或いは１２ｂ，１２ｂに係合したときに、ロータ７の回転が可能となる構成であればよい。この構成によれば、上記実施形態のものより、タンブラピン１２ａ或いは１２ｂの数やユニット１７の数を減少させることができて、簡単な構成とすることができる。
【００３７】
また、前記タンブラピン１２ａ，１２ｂの列は、合鍵１の幅方向と厚さ方向とに１列ずつ設けるようにしてもよい。即ち、ロータ本体９に、互いに９０度の角度を存して１列が複数個の２列のピン孔１１ａ，１１ｂを設けて夫々にタンブラピン１２ａ，１２ｂを収納し、外筐８にこれらタンブラピン１２ａ，１２ｂに対応して２組のユニット１７を取付ける。そして、合鍵１がロータ７の鍵挿入孔６に挿入されて、その合鍵１の幅方向に形成された１列の谷部３が一方の列のタンブラピン１２ａに係合し、且つ、合鍵１の厚さ方向に形成された１列の凹部４が他方の列のタンブラピン１２ｂに係合したときに、ロータ７の回転が可能となる構成であればよい。これら９０度の角度を存して配設された２列のタンブラピン１２ａ，１２ｂ全てを、ピッキング用具などによって移動させることは困難であるので、ピッキングによる解錠を抑制することができる。また、この構成によれば、上記実施形態のものより、タンブラピン１２ａ，１２ｂの数やユニット１７の数を減少させることができて、簡単な構成とすることができる。
【００３８】
更に、前記タンブラピン１２ａ，１２ｂの列は、合鍵１の幅方向または厚さ方向の何れかに設けるようにしてもよい。即ち、ロータ本体９に、１列に並べられた複数個のピン孔１１ａ或いは１１ｂを設けて夫々にタンブラピン１２ａ或いは１２ｂを収納し、外筐８にこれらタンブラピン１２ａ或いは１２ｂに対応して１組のユニット１７を取付ける。そして、合鍵１がロータ７の鍵挿入孔６に挿入されて、その合鍵１の幅方向に形成された１列の谷部３、或いは合鍵１の厚さ方向に形成された１列の凹部４が、タンブラピン１２ａ或いは１２ｂに係合して、タンブラピン１２ａ或いは１２ｂとドライバピン１５との境界が外筐８とロータ本体９との境界に一致したときに、ロータ７の回転が可能となる構成であればよい。この構成によれば、上記実施形態のものよりタンブラピン１２ａ或いは１２ｂの数やユニット１７の数を一層、減少させることができて、より簡単な構成とすることができる。
【００３９】
また、上記係合手段は、ユニット１７及び外筐８の一方に係合部が形成されるとともに、他方に前記係合部と係合する係合穴が形成された構成であればよい。
【図面の簡単な説明】
【００４０】
【図１】本発明の一実施形態を示すものであり、合鍵を挿入した状態のシリンダ錠の前方からの外観斜視図
【図２】シリンダ錠の構成部品を分解した状態を一部省略して示す外観斜視図
【図３】シリンダ錠の横断平面図
【図４】シリンダ錠の縦断側面図
【図５】シリンダ錠の縦断正面図
【図６】図４の部分拡大図
【図７】外筐とともに示すユニットの取付時の外観斜視図
【符号の説明】
【００４１】
図面中、１は合鍵、２ｃは側部、２ｄは面部、３は谷部、４は凹部、６は鍵挿入孔、７はロータ、８は外筐、１１ａ，１１ｂはピン孔、１２ａ，１２ｂはタンブラピン、１４はホルダ、１５はドライバピン、１６は板ばね部材、ユニット１７、２０は係合溝（係合手段）、２２は係合部（係合手段）、２３ａは係合穴（係合手段）、２６は係合部（係合手段）、２７はピン孔、３０はばね片部を示す。
【図１】
2007239265.tif 000003
【図２】
2007239265.tif 000004
【図３】
2007239265.tif 000005
【図４】
2007239265.tif 000006
【図５】
2007239265.tif 000007
【図６】
2007239265.tif 000008
【図７】
2007239265.tif 000009